【手続補正書】
【提出日】平成27年4月16日(2015.4.16)
【手続補正１】
【補正対象書類名】特許請求の範囲
【補正対象項目名】全文
【補正方法】変更
【補正の内容】
【特許請求の範囲】
【請求項１】
モジュール式整形外科股関節システムであって、
テーパー付きボアと、一連の第１の雄ネジを含むボルトとを含む、植え込み可能な近位本体構成部品と、
近位端に位置付けられた嵌入プレートと、遠位端に形成された一連の第２の雄ネジとを含む、ステム挿入工具と、
前記植え込み可能な近位本体構成部品及び前記ステム挿入工具に別々に固定されるように構成された植え込み可能な遠位ステム構成部品であって、（ｉ）その外面に形成され、前記植え込み可能な近位本体構成部品の前記テーパー付きボアの中に受容されるように構成されるテーパー付きポストと、（ｉｉ）前記遠位ステム構成部品の上面の中に開口する上方端を有し、前記遠位ステム構成部品の中へと下方に延在する一連の上方の雌ネジと、（ｉｉｉ）前記一連の上方の雌ネジの下方端の中に開口する上方端を有する一連の下方の雌ネジであって、前記一連の上方の雌ネジから下方に延在する一連の下方の雌ネジと、を有する、植え込み可能な遠位ステム構成部品と、を備え、
前記一連の上方の雌ネジの直径が、前記一連の下方の雌ネジの直径より大きく、
前記植え込み可能な遠位ステム構成部品が前記植え込み可能な近位本体構成部品に固定されると、（ｉ）前記ボルトが、前記一連の上方の雌ネジから離間し、前記一連の第１の雄ネジが、前記一連の下方の雌ネジと係合し、（ｉｉ）前記植え込み可能な遠位ステム構成部品の前記テーパー付きポストが、前記植え込み可能な近位本体構成部品の前記テーパー付きボアの中に受容され、
前記植え込み可能な遠位ステム構成部品が前記ステム挿入工具に固定されると、前記一連の第２の雄ネジが、前記一連の上方の雌ネジと係合して、前記一連の下方の雌ネジから離間し、
（ｉ）前記遠位ステム構成部品が、前記一連の下方の雌ネジの下方端の中に開口する上方端を有する止まり穴を更に有し、（ｉｉ）前記止まり穴が、前記一連の下方の雌ネジから下方に延在し、（ｉｉｉ）前記止まり穴が、丸みがついている下方端を有する、モジュール式整形外科股関節システム。
【請求項２】
前記一連の下方の雌ネジの前記雌ネジのそれぞれの最も外側の縁は、丸みがついている、請求項１に記載のモジュール式整形外科股関節システム。
【請求項３】
前記遠位ステム構成部品が、前記遠位ステム構成部品の前記上面に形成されたキー溝を更に有する、請求項１に記載のモジュール式整形外科股関節システム。
【請求項４】
前記キー溝が、前記一連の上方の雌ネジの前記上方端を画定する、前記遠位ステム構成部品の側壁内に形成される、請求項３に記載のモジュール式整形外科股関節システム。
【請求項５】
前記キー溝が、耳たぶ型のスロットを備える、請求項３に記載のモジュール式整形外科股関節システム。
【請求項６】
前記遠位ステム構成部品が、前記遠位ステム構成部品の前記上面に固定され、かつこれから上方に延在する位置合わせキーを更に有する、請求項１に記載のモジュール式整形外科股関節システム。
【請求項７】
前記位置合わせキーが、前記遠位ステム構成部品の前記上面から上方に延在するタブを備える、請求項６に記載のモジュール式整形外科股関節システム。
【請求項８】
前記遠位ステム構成部品が、弓状の遠位ステム構成部品を備え、前記弓状の遠位ステム構成部品が、その凸側に沿って延在する頂点を有し、
前記位置合わせキーが、前記頂点に対応する、前記弓状の遠位ステム構成部品の側に位置付けられる、請求項６に記載のモジュール式整形外科股関節システム。
【請求項９】
モジュール式整形外科股関節システムであって、
テーパー付きボアと、一連の第１の雄ネジを含むボルトとを含む、植え込み可能な近位本体構成部品と、
（ｉ）近位端に位置付けられた嵌入プレートと、（ｉｉ）遠位端に形成された一連の第２の雄ネジと、（ｉｉｉ）前記遠位端に形成された位置合わせノッチとを含む、ステム挿入工具と、
前記植え込み可能な近位本体構成部品及び前記ステム挿入工具に別々に固定されるように構成された植え込み可能な遠位ステム構成部品であって、（ｉ）その外面に形成されるテーパー付きポストであって、前記植え込み可能な近位本体構成部品の前記テーパー付きボアの中に受容されるように構成されるテーパー付きポストと、（ｉｉ）前記遠位ステム構成部品の上面の中に開口し、かつ前記遠位ステム構成部品の中に下方に延在する上方端を有する螺刻されたボアと、（ｉｉｉ）前記遠位ステム構成部品の前記上面に固定され、かつこれから上方に延在する位置合わせキーと、を有する、植え込み可能な遠位ステム構成部品と、を備え、
前記遠位ステム構成部品の前記螺刻されたボアが、（ｉ）前記遠位ステム構成部品の上面の中に開口する上方端を有し、前記遠位ステム構成部品の中へと下方に延在する一連の上方の雌ネジと、（ｉｉ）前記一連の上方の雌ネジの下方端の中に開口する上方端を有し、前記一連の上方の雌ネジから下方に延在し、かつ前記一連の上方の雌ネジの直径より小さい直径を有する一連の下方の雌ネジと、を備え、
前記植え込み可能な遠位ステム構成部品が前記植え込み可能な近位本体構成部品に固定されると、（ｉ）前記ボルトが、前記一連の上方の雌ネジから離間し、前記一連の第１の雄ネジが、前記一連の下方の雌ネジと係合し、（ｉｉ）前記植え込み可能な遠位ステム構成部品の前記テーパー付きポストが、前記植え込み可能な近位本体構成部品の前記テーパー付きボアの中に受容され、
前記植え込み可能な遠位ステム構成部品が前記ステム挿入工具に固定されると、（ｉ）前記一連の第２の雄ネジが、前記一連の上方の雌ネジと係合して、前記一連の下方の雌ネジから離間し、（ｉｉ）前記位置合わせキーが、前記位置合わせノッチ内に受容され、
（ｉ）前記遠位ステム構成部品が、前記一連の下方の雌ネジの下方端の中に開口する上方端を有する止まり穴を更に有し、（ｉｉ）前記止まり穴が、前記一連の下方の雌ネジから下方に延在し、（ｉｉｉ）前記止まり穴が、丸みがついている下方端を有する、モジュール式整形外科股関節システム。
【請求項１０】
前記位置合わせキーが、前記遠位ステム構成部品の前記上面から上方に延在するタブを備える、請求項９に記載のモジュール式整形外科股関節システム。
【請求項１１】
前記遠位ステム構成部品が、弓状の遠位ステム構成部品を備え、前記弓状の遠位ステム構成部品が、その凸側に沿って延在する頂点を有し、
前記位置合わせキーが、前記頂点に対応する、前記弓状の遠位ステム構成部品の側に位置付けられる、請求項９に記載のモジュール式整形外科股関節システム。
【請求項１２】
前記遠位ステム構成部品が、前記遠位ステム構成部品の前記上面に形成されたキー溝を更に有する、請求項９に記載のモジュール式整形外科股関節システム。
【請求項１３】
前記キー溝が、前記螺刻されたボアの前記上方端を画定する前記遠位ステム構成部品の側壁に形成される、請求項１２に記載のモジュール式整形外科股関節システム。
【請求項１４】
前記キー溝が、耳たぶ型のスロットを備える、請求項１２に記載のモジュール式整形外科股関節システム。
【請求項１５】
モジュール式整形外科股関節システムであって、
テーパー付きボアと、一連の第１の雄ネジを含むボルトとを含む、植え込み可能な近位本体構成部品と、
（ｉ）近位端に位置付けられた嵌入プレートと、（ｉｉ）遠位端に形成された一連の第２の雄ネジと、（ｉｉｉ）前記遠位端に形成された位置合わせノッチとを含む、ステム挿入工具と、
植え込み可能な近位構成部品と一致するようにサイズ設定されており、位置合わせキーを含む人工試用構成部品と、
前記植え込み可能な近位本体構成部品、前記ステム挿入工具、及び前記人工試用構成部品に別々に固定されるように構成された植え込み可能な遠位ステム構成部品であって、（ｉ）その外面に形成されるテーパー付きポストであって、前記植え込み可能な近位本体構成部品の前記テーパー付きボアの中に受容されるように構成されるテーパー付きポストと、（ｉｉ）前記遠位ステム構成部品の上面の中に開口し、かつ前記遠位ステム構成部品の中へと下方に延在する上方端を有する螺刻されたボアと、（ｉｉｉ）前記螺刻されたボアの前記上方端を画定する前記遠位ステム構成部品の側壁内に形成されるキー溝と、（ｉｖ）前記遠位ステム構成部品の前記上面に固定され、かつこれから上方に延在する位置合わせキーと、を有する、植え込み可能な遠位ステム構成部品と、を備え、
前記遠位ステム構成部品の前記螺刻されたボアが、（ｉ）前記遠位ステム構成部品の上面の中に開口する上方端を有し、前記遠位ステム構成部品の中へと下方に延在する一連の上方の雌ネジと、（ｉｉ）前記一連の上方の雌ネジの下方端の中に開口する上方端を有し、前記一連の上方の雌ネジから下方に延在し、かつ前記一連の上方の雌ネジの直径より小さい直径を有する一連の下方の雌ネジと、を備え、
前記植え込み可能な遠位ステム構成部品が前記植え込み可能な近位本体構成部品に固定されると、（ｉ）前記ボルトが、前記一連の上方の雌ネジから離間し、前記一連の第１の雄ネジが、前記一連の下方の雌ネジと係合し、（ｉｉ）前記植え込み可能な遠位ステム構成部品の前記テーパー付きポストが、前記植え込み可能な近位本体構成部品の前記テーパー付きボアの中に受容され、
前記植え込み可能な遠位ステム構成部品が前記ステム挿入工具に固定されると、（ｉ）前記一連の第２の雄ネジが、前記一連の上方の雌ネジと係合して、前記一連の下方の雌ネジから離間し、（ｉｉ）前記植え込み可能な遠位ステム構成部品の前記位置合わせキーが、前記位置合わせノッチ内に受容され、
前記植え込み可能な遠位ステム構成部品が前記人工試用構成部品に固定されると、前記人工試用構成部品の前記位置合わせキーが、前記植え込み可能な遠位ステム構成部品の前記キー溝内に受容され、
（ｉ）前記遠位ステム構成部品が、前記一連の下方の雌ネジの下方端の中に開口する上方端を有する止まり穴を更に有し、（ｉｉ）前記止まり穴が、前記一連の下方の雌ネジから下方に延在し、（ｉｉｉ）前記止まり穴が、丸みがついている下方端を有する、モジュール式整形外科股関節システム。
【請求項１６】
前記キー溝が、耳たぶ型のスロットを備える、請求項１５に記載のモジュール式整形外科股関節システム。